(57)【要約】  本発明は、独立して温度調節された流体を供給するための少なくとも１つの連結装置３と前記独立して温度調節された流体を排出するための少なくとも１つの連結装置４とを有する直方体状の１つの中空体２を備え、且つ規則的に配置され、同一に形成され、１つの第１本体面５から１つの第２本体面６まで延在する複数の貫通開口部７を備えるバッテリシステム用の１つの温度調節装置１に関する。この場合、液密の流体空間が形成されるように、円柱状の１つのバッテリセル８が、それぞれの貫通開口部７によって収容されている。当該温度調節装置１は、セルの頭部１１とセルの底部１２とを除外した前記中空体２が前記バッテリシステムの全高Ｈの２０％よりも大きくて１００％未満の高さｈにわたって延在することを特徴とする。
2018531501.tif 000002
【特許請求の範囲】
【請求項１】
独立して温度調節された流体を供給するための少なくとも１つの連結装置（３）と前記独立して温度調節された流体を排出するための少なくとも１つの連結装置（４）とを有する直方体状の１つの中空体（２）を備え、且つ規則的に配置され、同一に形成され、１つの第１本体面（５）から１つの第２本体面（６）まで延在する複数の貫通開口部（７）を備えるバッテリシステム用の１つの温度調節装置（１）であって、液密の流体空間が形成されるように、円柱状の１つのバッテリセル（８）が、それぞれの貫通開口部（７）によって収容されている当該バッテリセル用の温度調節装置（１）において、
セルの頭部（１１）とセルの底部（１２）とを除外した前記中空体（２）は、前記バッテリシステムの全高Ｈの２０％よりも大きくて１００％未満の高さｈにわたって延在することを特徴とするバッテリセル用の温度調節装置（１）。
【請求項２】
それぞれの貫通開口部（７）が、円柱状のバッテリセル（８）を包囲する１つの密封要素（９）を有することを特徴とする請求項１に記載のバッテリセル用の温度調節装置（１）。
【請求項３】
前記直方体状の１つの中空体（２）は、合成樹脂から、例えばＰＯＭから一体的に製造されていることを特徴とする請求項１又は２に記載のバッテリセル用の温度調節装置（１）。
【請求項４】
複数の貫通開口部（７）が、最も密に詰め込まれた複数の円形物の形態で配置されていることを特徴とする請求項１、２又は３に記載のバッテリセル用の温度調節装置（１）。
【請求項５】
個々の前記バッテリセルは、互いに離間していることを特徴とする請求項１〜４のいずれか１項に記載バッテリセル用の温度調節装置（１）。
【請求項６】
前記独立して温度調節された流体は、１つの加熱及び／又は冷却装置によって循環圧送されることを特徴とする請求項１〜５のいずれか１項に記載のバッテリセル用の温度調節装置（１）。
【請求項７】
前記流体は、伝導性であることを特徴とする請求項１〜６のいずれか１項に記載のバッテリセル用の温度調節装置（１）。
【請求項８】
独立して温度調節された流体が、温度調節装置（１，１′，１″）と少なくとも１つのポンプ装置と１つの加熱及び／又は冷却装置とを経由して循環圧送されることを特徴とする請求項１〜７のいずれか１項に記載の連続して接続された複数の温度調節装置（１，１′，１″）を有するバッテリパック。
【発明の詳細な説明】
【技術分野】
【０００１】
本発明は、独立して温度調節された流体を供給するための少なくとも１つの連結装置と当該独立して温度調節された流体を排出するための少なくとも１つの連結装置とを有する直方体状の１つの中空体を備え、且つ規則的に配置され、同一に形成され、１つの第１本体面から１つの第２本体面まで延在する複数の貫通開口部を備えるバッテリシステム用の１つの温度調節装置に関する。この場合、液密の流体空間が形成されるように、円柱状の１つのバッテリセルが、それぞれの貫通開口部によって収容されている。
【背景技術】
【０００２】
一方ではバッテリパックとも呼ばれるバッテリシステム又は連結された複数のバッテリシステムが、自動車の用途で、例えばリチウム・イオン・アキュムレータ、リチウム・ポリマー・アキュムレータ若しくはニッケル・メタルハイブリッド・アキュムレータを有する電気自動車又はハイブリッド自動車で、再充電可能な電気エネルギーアキュムレータとして使用される。完全な電気駆動の場合、特に当該バッテリシステムの寸法及び重量を減少させるため、一方では、高電圧のリチウムイオンバッテリが使用される。
【０００３】
このような種類のバッテリシステムは、所定の温度範囲内で作動される必要がある。したがって、バッテリ中の電気化学的な現象の経時推移が、バッテリの動作条件と温度とによって影響を受ける。より高い温度は、電子移動度又はイオン移動度を改善するが、バッテリセルの内部インピーダンスを減少させ、当該バッテリセルの静電容量を増大させる。しかしながら、より高い温度は、望まないで又は不可逆的に経時推移する化学反応及び／又は電解液の損失も引き起こし得る。これにより、バッテリセルの持続する劣化又は完全な故障を発生させ得る。繰り返される温度変化も、同様にバッテリを劣化させ得る。
【０００４】
＋４０℃以上の動作温度では、寿命が減少する一方で、−１０℃未満では、効率が低下し、出力が低下する。さらに、個々のセル間の温度差は、５〜１０Ｋを超えてはならない。回復又は上昇のような大電流を伴う短期間のピーク負荷が、これらのセルの著しい加熱を引き起こす。さらに、例えば夏の数か月間の屋外の高い温度は、バッテリシステム中の温度が臨界値に達することに寄与する。
【０００５】
空冷式のバッテリパックが、米国特許出願公開第２０１５２１０１８４号明細書から公知である。当該バッテリパックは、複数のバッテリセルを有する。隣接した複数のセル間の複数の冷却チャネルが、それぞれのモジュールごとに仕切られるように、これらのバッテリセルは、複数のモジュール状に配置されている。
【０００６】
１つのバッテリハウジングと複数の温度調節要素とこれらの温度調節要素のうちの１つの温度調節要素に直接に接触している１つのリチウムイオンセルとを有する１つのバッテリが、独国特許出願公開第１０２０１１０８２９９１号明細書から知られている。
【０００７】
さらに、複数のバッテリセルと少なくとも１つの温度調節装置とを有する複数のバッテリモジュールを備える１つのバッテリパックが、独国特許第１０２０１４２０５１３３号明細書から知られている。これらのバッテリモジュールは、これらのバッテリセルが温度に依存する熱伝導率を有する材料によって当該少なくとも１つの温度調節装置に結合されていることを特徴とする。
【０００８】
従来の技術から既知の、上記のような種類のバッテリシステムを温度調節するための別の可能性は、例えば、自動車内の空調空間から空気を吸引することであり、又はバッテリセル中に埋設されている特殊な蒸発器プレートを自動車内に存在する空気調節装置に取り付けることであり、又はバッテリブロック中に取り付けられた冷却プレートを冷却剤で通流させることである（これに関しては、Ｂｅｈｒ／Ｈｅｌｌａ“Ｔｈｅｒｍｏｍａｎａｇｅｍｅｎｔ  ｉｎ  Ｈｙｂｒｉｄｆａｈｒｚｅｕｇｅｎ”；ＢＥＨＲ  ＨＥＬＬＡ  ＳＥＲＶＩＣＥ  ＧｍｂＨ，Ｓｃｈｗａｅｂｉｓｃｈ  Ｈａｌｌ参照）。
【０００９】
上記の従来の技術から既知の全ての冷却思想には、発生する熱の迅速で、特に均一な冷却、特に最適化された温度管理が不足している。このことは、特に第出力領域に対して成立する、すなわちバッテリセルの高い出力又は高い電力消費の場合と、高い周囲温度の場合とに成立する。
【００１０】
１つのバッテリブロック内の異なる出力密度を引き起こし、したがって他方では熱不均衡を引き起こす（自己破壊機構）セル集合体中の熱不均衡の問題も、十分に解決されていない。
【先行技術文献】
【特許文献】
【００１１】
【特許文献１】米国特許出願公開第２０１５２１０１８４号明細書
【特許文献２】独国特許出願公開第１０２０１１０８２９９１号明細書
【特許文献３】独国特許第１０２０１４２０５１３３号明細書
【非特許文献】
【００１２】
【非特許文献１】Ｂｅｈｒ／Ｈｅｌｌａ“Ｔｈｅｒｍｏｍａｎａｇｅｍｅｎｔ  ｉｎ  Ｈｙｂｒｉｄｆａｈｒｚｅｕｇｅｎ”；ＢＥＨＲ  ＨＥＬＬＡ  ＳＥＲＶＩＣＥ  ＧｍｂＨ，Ｓｃｈｗａｅｂｉｓｃｈ  Ｈａｌｌ
【発明の概要】
【発明が解決しようとする課題】
【００１３】
本発明の課題は、バッテリシステム用の改良された新規の温度調節装置を提供することにある。特に、本発明の課題は、バッテリシステム内の熱均衡に配慮することにある。
【課題を解決するための手段】
【００１４】
本発明によれば、独立して温度調節された流体を供給するための少なくとも１つの連結装置と当該独立して温度調節された流体を排出するための少なくとも１つの連結装置とを有する直方体状の１つの中空体を備えるバッテリシステム用の１つの温度調節装置が提唱される。当該直方体状の中空体は、規則的に配置され、同一に形成され、１つの第１本体面から１つの第２本体面まで延在する複数の貫通開口部を有する。この場合、液密の流体空間が形成されるように、円柱状の１つのバッテリセルが、それぞれの貫通開口部によって収容されている。
【００１５】
セルの頭部とセルの底部とを除外した中空体が、バッテリシステムの全高の２０％よりも大きくて１００％未満の高さｈにわたって延在することが本発明において重要である。独立して温度調節された流体が、当該流体空間内で複数のバッテリセルの周りを通流する。当該バッテリシステムの円柱状のそれぞれのバッテリセルと、当該温度調節された流体とが、このように直接に全面で接触するために、当該システムは、最適な動作温度範囲に能動的に保持され得る。
【００１６】
したがって、本発明によれば、発生する熱を複数のバッテリセルのセルカバーで迅速に放出することが可能であるだけではなくて、バッテリセル集合体中の熱不均衡を回避することも可能である。
【００１７】
液密の流体空間を保証するためには、円柱状の複数のバッテリセルを包囲する１つの密封要素を設けることが好ましい。このような密封要素は、例えば、それぞれの貫通開口部に形成された１つの密封リングでもよい。この密封リングは、上のセルカバー位置と下のセルカバー位置とで当該複数のセルをその周囲にわたって水密に密封する。特に、当該密封要素は、一体的に形成されたにもかかわらず、直方体状の中空体の複数の貫通開口部に対応する複数の貫通開口部を有する密封板である。
【００１８】
当該密封板は、例えば、ＴＰＥ、ＥＰＤＭ又はその他のエラストマー樹脂、好ましくは熱可塑性樹脂から一体的に製造されていて、好ましくは２Ｋ技術を用いて直方体状の中空体の表面上に取り付けられている。当該密封板が、取り外し可能な結合技術を用いて当該直方体状の中空体上に、例えば嵌合式に又はねじ止め式に取り付けられていることも考えられる。この場合、特に、円柱状の複数のバッテリセルを密封するように、これらのバッテリセルが、これらのセルのそれぞれの周囲で２つの密封板の密封要素によって包囲される。
【００１９】
当該直方体状の中空体は、合成樹脂から、例えばＰＯＭから、特に一体的に製造されている。可能な限り多くの円柱状のバッテリセルを本発明の温度調節装置内に収容できるようにするためには、すなわち当該複数のバッテリセルの可能な限りの空間の節約を保証するためには、複数の貫通開口部が、特に、最も密に詰め込まれた複数の円形物の形態で配置されている。
【００２０】
円柱状の１つのバッテリセルがそれぞれの貫通開口部によって収容されている配置では、複数のバッテリセルのそれぞれの列が、隣接した列に対して半分のセル幅（バッテリセルの１／２の直径）だけずらして配置されている。１つの列の個々のセル間は、最小の間隔（Ｓ）である。複数の円形物を最も密に詰め込んでいるときのこの間隔とその配置とによって、独立して温度調節された流体が、それぞれのバッテリセルの周囲を通流し得ることが保証される。このため、当該温度調節された流体が、流体空間を貫流することも確保される。
【００２１】
本発明によれば、セルの頭部とセルの底部とを除外した直方体状の中空体が、バッテリシステムの全高の２０％よりも大きくて１００％未満の高さｈにわたって延在する。当該高さｈは、温度管理に関する要求、特に冷却効率に関する要求に適合させることが必要であり、熱需要量と中空体の増大する高さと共に増大するバッテリ重量との間の均衡から決定される。
【００２２】
当該独立して温度調節された流体が、液密の流体空間内で個々のバッテリセルのセル壁の周囲を通流する方式で、円柱状の複数のバッテリセルを有するバッテリシステムが、当該独立して温度調節された流体を供給するための少なくとも１つの連結装置と当該独立して温度調節された流体を排出するための少なくとも１つの別の連結装置とによって温度調節される。
【００２３】
当該液体空間は、上向きに密封されているので、流体、特に冷却剤は、バッテリシステムの電気的に敏感な領域に接触しない。
【００２４】
バッテリシステム内の個々のバッテリセルの不均一な劣化は、これにより、これらのバッテリセルが異なる温度に曝されることを引き起こし、バッテリシステムの加速された平均以上の劣化を引き起こし、さらに静電容量を減少させる。それ故に、好適な実施の形態では、独立して温度調節された流体、特に冷却剤が、温度調節装置によって能動的にポンプで圧送される。したがって、例えば、別の複数のバッテリセルの間の、特に中央に配置されている１つのバッテリセルとは違って、直方体状の中空体の外側に配置されている１つのバッテリセルは、熱環境に曝されることが確実に回避され得る。
【００２５】
特に、当該流体は、加熱及び／又は冷却装置によって循環圧送される。特に好適な実施の形態では、当該流体は、連続して配置された複数の温度調節装置と少なくとも１つの加熱及び／又は冷却装置とによって循環圧送される。独立して温度調節された流体とは、特に、加熱及び／又は冷却装置によって能動的に温度調節される、例えば水のような冷却剤を言う。
【００２６】
複数のバッテリシステムから成る１つのバッテリパックが、ポンプ装置と２つ又は複数の温度調節装置間の連結管と加熱及び／又は冷却装置とによって温度調節され得る。
【００２７】
本発明の温度調節装置と独立して温度調節された流体とを使用することで、個々のバッテリセル間の温度差が、５〜１０Ｋを超えない。さらに、当該バッテリセルは、特にバッテリメーカによって予め設定されている最適な温度範囲内で作動され得る。本発明の温度調節装置を用いた個々のバッテリセルの能動的な冷却又は加熱から、最適な性能歩留りが、予め設定されている動作温度内だけではなくて、より広く限定した温度範囲内でも達成される。
【００２８】
当業者は、本発明のその他の特徴及び利点を添付図面を参照する以下の実施の形態の説明から理解できる。
【図面の簡単な説明】
【００２９】
【図１】バッテリシステム用の温度調節装置を示す。
【図２】密封板を示す。
【図３ａ】横から見た直方体状の中空体を示す。
【図３ｂ】上から見た直方体状の中空体を示す。
【図４】３つの温度調節装置を有するバッテリパックを示す。
【発明を実施するための形態】
【００３０】
図１は、独立して温度調節された流体を供給するための少なくとも１つの連結装置（３）と当該独立して温度調節された流体を排出するための少なくとも１つの連結装置（４、図４参照）とを有する直方体状の１つの中空体（２）を備えるバッテリシステム用の１つの温度調節装置を示す。円柱状の複数のバッテリセル（８）が、規則的に配置され、同一に形成され、１つの第１本体面（５）から１つの第２本体面（６、図３Ａ）まで延在する複数の貫通開口部（７）内に配置されている。これらの貫通開口部（７）又はこれらのバッテリセル（８）は、最も密に詰め込まれた複数の円形物の形態で配置されている。
【００３１】
図２は、規則的に配置され同一に形成された複数の貫通開口部（７′）を有し、弾性の、好ましくは熱可塑性の樹脂から成る１つの密封板（９）を示す。液密の流体空間を保証するため、密封板（９）は、特に２Ｋ技術を用いて直方体状の中空体（２）の表面（５，６）上に装着されている。
【００３２】
図３は、横から見た直方体状の中空体（２）を断面（３Ａ）で示し、又は上から見た直方体状の中空体（２）を同様に断面（３Ｂ）で示す。ずらして配置されたそれぞれ７つの貫通開口部（７）を有する３つの列が認識される。それぞれのセルが、隣接したセルに対して最小間隔（Ｓ）を有するように、円柱状の１つのバッテリセル（８）が、組み立てられた状態でそれぞれの貫通開口部（７）内に収容されている。この間隔（Ｓ）と、最も密に詰め込まれた複数の円形物としての配置とは、独立して温度調節された流体がそれぞれのバッテリセルを循環し得ることを保証する。当該流体は、連結装置（３）を通じて直方体状の中空体（２）に供給され、この直方体状の中空体（２）の下面から連結装置（９）を通じて排出される。
【００３３】
図４は、連続して連結された３つの温度調節装置（１，１′，１″）を１つのバッテリパックの一部として示す。この場合、黒線（１０）が、流体の経路を示す。当該流体は、連結装置（３）を通じて第１温度調節装置（１）内に流入して、連結装置（９）を通じてこの第１の温度調節装置（１）から再び排出される。引き続き、当該流体は、連結装置（３′）を通じて第２温度調節装置（１′）内に流入し、この第２温度調節装置（１′）を貫流し、連結装置（９′）を通じてこの第２温度調節装置（１′）から再び排出される。当該流体の経路は、第３温度調節装置に対して繰り返され、場合によっては後続する温度調節装置に対して繰り返される。中空体（２）が、バッテリシステムの全高Ｈよりも小さい高さｈにわたって延在する。当該バッテリシステムの敏感な領域、特にセルの頭部（１１）及びセルの底部（１２）が、本発明にしたがって温度調節装置（１）から除外されている。
【符号の説明】
【００３４】
１    温度調節装置
２    中空体
３    連結装置
４    連結装置
５    第１本体面
６    第２本体面
７    貫通開口部
８    バッテリセル
９    密封要素
１０  黒線
１１  セルの頭部
１２  セルの底部
Ｓ    最小間隔
Ｈ    バッテリシステムの全高
ｈ    中空体の高さ
【図１】
2018531501.tif 000003
【図２】
2018531501.tif 000004
【図３Ａ】
2018531501.tif 000005
【図３Ｂ】
2018531501.tif 000006
【図４】
2018531501.tif 000007
【国際調査報告】
2018531501.tif 000008
2018531501.tif 000009
2018531501.tif 000010
2018531501.tif 000011